【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
向上されたエネルギー効率を有するダクト付き換気フードを運転する方法であって、前記換気フードは、前記換気フードが配置されている温度調整された研究所の周囲空気からベンチトップ作業空間を隔離するための保護された囲壁であり、前記換気フードは、前記換気フードが封止されているときに戸枠と係合する前部ドアで出入りされ、前記研究所は建屋内に配置された、方法において、
空気出口を介して排気を前記ダクト付き換気フードの中から熱交換器を通して前記建屋の外の空気へ送り、空気入口を介して新規空気を前記建屋の外の空気から前記熱交換器を通して前記建屋の中に送り、前記熱交換器は、前記排気と前記新規空気との間で熱含有量を伝達して、前記新規空気が前記建屋の中へ入る前に前記新規空気を加熱または冷却して温度調整するように構成された、方法。
【請求項２】
前記ダクト付き換気フードからの前記排気が、フィルタを通されてから、ろ過された空気の系統を介して前記熱交換器の中へ導入される、請求項１に記載の方法。
【請求項３】
前記新規空気が、新規空気の系統として前記ダクト付き換気フードを含む建屋の中へ導入される、請求項２に記載の方法。
【請求項４】
前記ろ過された空気の系統と前記新規空気の系統が、前記熱交換器を通るが互いと連絡していない、請求項３に記載の方法。
【請求項５】
前記熱交換器が、前記ろ過された空気の系統の気流内に挿入された第１の熱交換器要素と、前記新規空気の系統の気流内に挿入された第２の熱交換器要素とを備え、さらに、流体系統が、前記第１の熱交換器要素を前記第２の熱交換器要素に接続する、請求項３に記載の方法。
【請求項６】
前記熱交換器が熱ポンプを備え、さらに、前記流体系統が、冷媒で満たされた冷媒系統を備え、選択的に冷媒を圧縮するための圧縮機をさらに備える、請求項５に記載の方法。
【請求項７】
前記熱交換器が可逆熱ポンプを備えるように、前記冷媒系統に配置された逆転弁をさらに備える、請求項６に記載の方法。
【請求項８】
前記可逆熱ポンプが、液体の冷媒を、前記第１の熱交換器要素から前記第２の熱交換器要素へ導くことによって、前記ろ過された空気の系統から熱含有量を抽出して、その熱含有量を前記新規空気の系統に付加する、請求項７に記載の方法。
【請求項９】
前記可逆熱ポンプが、液体の冷媒を、前記第２の熱交換器要素から前記第１の熱交換器要素へ導くことによって、前記新規空気の系統から熱含有量を抽出して、その熱含有量を前記ろ過された空気の系統に付加する、請求項７に記載の方法。
【請求項１０】
向上されたエネルギー効率を有するダクト付き換気フードを運転するための装置であって、前記換気フードは、前記換気フードが配置されている温度調整された研究所の周囲空気からベンチトップ作業空間を隔離するための保護された囲壁であり、前記換気フードは、前記換気フードが封止されているときに戸枠と係合する前部ドアで出入りされ、前記研究所は建屋内に配置された、装置において、
前記ダクト付き換気フード内から空気出口を介して排気を受け取って、前記排気を前記建屋の外の空気に送るとともに、前記建屋の外の空気から空気入口を介して新規空気を受け取って、前記新規空気を前記建屋の中に送り、前記排気と前記新規空気との間で熱含有量を伝達して、前記新規空気が前記建屋の中へ入る前に前記新規空気を加熱または冷却して温度調整するように構成された熱交換器を備える、装置。
【請求項１１】
前記ダクト付き換気フードからの前記排気が、フィルタを通されてから、ろ過された空気の系統を介して前記熱交換器の中へ入る、請求項１０に記載の装置。
【請求項１２】
前記新規空気が、新規空気の系統を介して前記ダクト付き換気フードを含む前記建屋の中へ入る、請求項１１に記載の装置。
【請求項１３】
前記ろ過された空気の系統と前記新規空気の系統とが、前記熱交換器を通るが互いと連絡しない、請求項１２に記載の装置。
【請求項１４】
前記熱交換器が、前記ろ過された空気の系統の気流内に配置された第１の熱交換器要素と、前記新規空気の系統の気流内に挿入された第２の熱交換器要素とを備え、さらに、流体系統が、前記第１の熱交換器要素を前記第２の熱交換器要素に接続する、請求項１２に記載の装置。
【請求項１５】
前記熱交換器が熱ポンプを備え、さらに、前記流体系統が、冷媒で満たされた冷媒系統を備え、選択的に冷媒を圧縮するための圧縮機をさらに備える、請求項１４に記載の装置。
【請求項１６】
前記熱交換器が可逆熱ポンプを備えるように、前記冷媒系統に配置された逆転弁をさらに備える、請求項１５に記載の装置。
【請求項１７】
前記可逆熱ポンプが、液体の冷媒を、前記第１の熱交換器要素から前記第２の熱交換器要素へ導くことによって、前記ろ過された空気の系統から熱含有量を抽出して、その熱含有量を前記新規空気の系統に付加する、請求項１６に記載の装置。
【請求項１８】
前記可逆熱ポンプが、液体の冷媒を、前記第２の熱交換器要素から前記第１の熱交換器要素へ導くことによって、前記新規空気の系統から熱含有量を抽出して、その熱含有量を前記ろ過された空気の系統に付加する、請求項１６に記載の装置。
【請求項１９】
システムにおいて、
ダクト付き換気フードであって、前記換気フードが配置された温度調整された研究所の周囲空気からベンチトップ作業空間を隔離するための保護された囲壁であり、前記換気フードは、前記換気フードが封止されているときに戸枠と係合する前部ドアで出入りされ、前記研究所は建屋内に配置された、ダクト付き換気フードと、
前記ダクト付き換気フード内から空気出口を介して排気を受け取って、前記排気を前記建屋の外の空気へ送るとともに、前記建屋の外の空気から空気入口を介して新規空気を受け取って、前記新規空気を前記建屋の中へ送り、前記排気と前記新規空気との間で熱含有量を伝達して、前記新規空気が前記建屋の中へ入る前に前記新規空気を加熱または冷却して温度調整するように構成された熱交換器とを備える、システム。
【手続補正２】
【補正対象書類名】明細書
【補正対象項目名】００１１
【補正方法】変更
【補正の内容】
【００１１】
本発明のこれらおよび他の目的および特徴が、添付図面と一緒に検討されるべき本発明の好ましい実施形態の以下の詳細な説明によって、より完全に開示されるかまたは明白にされることになり、図面では同じ番号は同じ部品を指す。
本願発明の実施形態は、例えば、以下の通りである。
［実施形態１］
向上されたエネルギー効率を有するダクト付き換気フードを運転する方法において、
前記ダクト付き換気フードからの排気を熱交換器に通すステップと、
新規空気を前記熱交換器に通すステップとを備え、
前記熱交換器は、前記排気が前記新規空気と混合することなく、前記排気と前記新規空気との間の熱含有量の伝達を引き起こすように構成され、これによって、前記新規空気の温度を調整する、方法。
［実施形態２］
前記ダクト付き換気フードからの前記排気が、フィルタを通されてから、ろ過された空気の系統として前記熱交換器の中へ導入される、実施形態１に記載の方法。
［実施形態３］
前記新規空気が、新規空気の系統として前記ダクト付き換気フードを含む建屋の中へ導入される、実施形態２に記載の方法。
［実施形態４］
前記ろ過された空気の系統と前記新規空気の系統が、前記熱交換器を通るが互いと連絡していない、実施形態３に記載の方法。
［実施形態５］
前記熱交換器が、前記ろ過された空気の系統から前記新規空気の系統への熱エネルギー伝達、および逆方向の熱エネルギー伝達を可能にするように構成される、実施形態４に記載の方法。
［実施形態６］
前記熱交換器が、前記ろ過された空気の系統の気流に挿入された第１の熱交換器要素と、前記新規空気の系統の気流に挿入された第２の熱交換器要素を備え、さらに、流体系統が、前記第１の熱交換器要素を前記第２の熱交換器要素に接続する、実施形態３に記載の方法。
［実施形態７］
前記熱交換器が熱ポンプを備え、さらに、前記流体系統が、冷媒で満たされた冷媒系統を備え、選択的に冷媒を圧縮するための圧縮機をさらに備える、実施形態６に記載の方法。
［実施形態８］
前記熱交換器が可逆熱ポンプを備えるように、前記冷媒系統に配置された逆転弁をさらに備える、実施形態７に記載の方法。
［実施形態９］
前記可逆熱ポンプが、液体の冷媒を、前記第１の熱交換器要素から前記第２の熱交換器要素へ向けることによって、前記ろ過された空気の系統から熱含有量を抽出して、その熱含有量を前記新規空気の系統に付加する、実施形態８に記載の方法。
［実施形態１０］
前記可逆熱ポンプが、液体の冷媒を、前記第２の熱交換器要素から前記第１の熱交換器要素へ向けることによって、前記新規空気の系統から熱含有量を抽出して、その熱含有量を前記ろ過された空気の系統に付加する、実施形態８に記載の方法。
［実施形態１１］
向上されたエネルギー効率を有するダクト付き換気フードを運転するための装置において、
前記ダクト付き換気フードからの排気を受け取るとともに、新規空気を受け取って、前記排気が前記新規空気と混合することなく、前記排気と前記新規空気との間の熱含有量の伝達を引き起こし、これによって、前記新規空気の温度を調整するように構成された熱交換器を備える、装置。
［実施形態１２］
前記ダクト付き換気フードからの前記排気が、フィルタを通されてから、ろ過された空気の系統として前記熱交換器の中へ導入される、実施形態１１に記載の装置。
［実施形態１３］
前記新規空気が、新規空気の系統として前記ダクト付き換気フードを含む建屋の中へ導入される、実施形態１２に記載の装置。
［実施形態１４］
前記ろ過された空気の系統と前記新規空気の系統が、前記熱交換器を通るが互いと連絡しない、実施形態１３に記載の装置。
［実施形態１５］
前記熱交換器が、前記ろ過された空気の系統から前記新規空気の系統への熱エネルギー伝達、および逆方向の熱エネルギー伝達を可能にするように構成される、実施形態１４に記載の装置。
［実施形態１６］
前記熱交換器が、前記ろ過された空気の系統の気流に挿入された第１の熱交換器要素と、前記新規空気の系統の気流に挿入された第２の熱交換器要素を備え、さらに、流体系統が、前記第１の熱交換器要素を前記第２の熱交換器要素に接続する、実施形態１３に記載の装置。
［実施形態１７］
前記熱交換器が熱ポンプを備え、さらに、前記流体系統が、冷媒で満たされた冷媒系統を備え、選択的に冷媒を圧縮するための圧縮機をさらに備える、実施形態１６に記載の装置。
［実施形態１８］
前記熱交換器が可逆熱ポンプを備えるように、前記冷媒系統に配置された逆転弁をさらに備える、実施形態１７に記載の装置。
［実施形態１９］
前記可逆熱ポンプが、液体の冷媒を、前記第１の熱交換器要素から前記第２の熱交換器要素へ向けることによって、前記ろ過された空気の系統から熱含有量を抽出して、その熱含有量を前記新規空気の系統に付加する、実施形態１８に記載の装置。
［実施形態２０］
前記可逆熱ポンプが、液体の冷媒を、前記第２の熱交換器要素から前記第１の熱交換器要素へ向けることによって、前記新規空気の系統から熱含有量を抽出して、その熱含有量を前記ろ過された空気の系統に付加する、実施形態１８に記載の装置。
［実施形態２１］
ダクト付き換気フードと、
前記ダクト付き換気フードからの排気を受け取るとともに、新規空気を受け取って、前記排気から前記新規空気へ熱含有量を伝達するか、または、前記排気が前記新規空気と混合することなく、前記新規空気と前記排気との間の熱含有量の伝達を引き起こし、これによって、前記新規空気の温度を調整するように構成された熱交換器とを備える、システム。